(57)【要約】【課題】  撮影対象物が撮影禁止か否かを判定する撮影可否判定装置及び該撮影可否判定装置を用いた撮影装置を提供する。【解決手段】  対無線タグ送受信部２０は、操作表示部１２から撮影モードボタンが押されると、無線タグ情報の読み出しを要求する電波信号を送信し、無線タグからの応答を受けると受信した無線タグ情報を無線タグ情報解析部２１に送る。無線タグ情報解析部２１は、無線タグ情報に含まれる各項目及び各項目の値を取得する。判定部２３は、取得した項目の値が撮影禁止項目記憶部２２に含まれているか調べ、取得した項目の値が撮影禁止項目記憶部２２に含まれている場合には撮影禁止と判定し、撮影禁止の判定情報を出力する。撮影防止処理部１６は、判定部２３から撮影禁止の判定情報が出力されると、撮像部１１に撮像素子４０からワークメモリ４１への画像の取り込みを中止させる。【選択図】    図１
2005303557.tif 000002
【特許請求の範囲】
【請求項１】
対無線タグ送受信手段と判定手段とを備え、
前記対無線タグ送受信手段は、電波を送受信して撮影対象物に付加された無線タグまたは撮影対象物の近傍に設置された無線タグから撮影の可否を含む無線タグ情報を読み出し、
前記判定手段は、読み出した無線タグ情報に撮影禁止を示す情報が含まれる場合には撮影禁止と判定し、読み出した無線タグ情報に撮影禁止を示す情報が含まれてる場合以外には撮影可能と判定することを特徴とする撮影可否判定装置。
【請求項２】
対無線タグ送受信手段と撮影禁止項目記憶部と判定手段とを備え、
前記対無線タグ送受信手段は、電波を送受信して撮影対象物に付加された無線タグまたは撮影対象物の近傍に設置された無線タグから複数の項目と該項目に対する値とを含む無線タグ情報を読み出し、
前記撮影禁止項目記憶部は、撮影禁止と判定する項目と値との対をあらかじめ記憶し、
前記判定手段は、読み出した無線タグ情報に含まれる項目と該項目の値とが前記撮影禁止項目記憶部に記憶されている場合には撮影禁止と判定し、読み出した無線タグ情報に含まれる項目と該項目の値とが前記撮影禁止項目記憶部に記憶されている場合以外には撮影可能と判定することを特徴とする撮影可否判定装置。
【請求項３】
範囲設定手段を備え、
前記範囲設定手段は、前記対無線タグ送受信手段から送信する電波の出力範囲を設定することを特徴とする請求項１または請求項２に記載の撮影可否判定装置。
【請求項４】
請求項１から請求項３のいずれかに記載の撮影可否判定装置を備え、
前記判定手段で撮影禁止と判定されると撮影防止処理を行うことを特徴とする撮影装置。
【請求項５】
請求項３に記載の撮影可否判定装置とズーム機構とを備え、
前記範囲設定手段は、前記ズーム機構が画角を広げるほど電波の出力強度を弱め、前記ズーム機構が画角を狭めるほど電波の出力強度を強め、
前記判定手段で撮影禁止と判定されると撮影防止処理を行うことを特徴とする撮影装置。
【請求項６】
請求項３に記載の撮影可否判定装置とズーム機構とを備え、
前記範囲設定手段は、前記ズーム機構が画角を広げるほど電波の出力角度を広げ、前記ズーム機構が画角を狭めるほど電波の出力角度を狭め、
前記判定手段で撮影禁止と判定されると撮影防止処理を行うことを特徴とする撮影装置。
【請求項７】
請求項３に記載の撮影可否判定装置と距離測定部とを備え、
前記距離測定部は撮影対象物までの距離を測定し、
前記範囲設定手段は、撮影対象物までの距離が長いほど電波の出力強度を強め、撮影対象物までの距離が短いほど電波の出力強度を弱め、
前記判定手段で撮影禁止と判定されると撮影防止処理を行うことを特徴とする撮影装置。
【発明の詳細な説明】
【技術分野】
【０００１】
この発明は、無線タグと電波を送受信する撮影可否判定装置及び撮影装置に関する。
【背景技術】
【０００２】
デジタルカメラやデジタルカメラ付携帯電話等の撮影装置は、小型化及び高性能化が進み撮影対象物を精度よく簡便に撮影できるため広く普及している。撮影装置による撮影対象物は、人や風景の他、店頭に並ぶ本や雑誌等に記載された情報や、美術館や博物館における展示物等が含まれ、撮影する者が自由に選択するのが一般的である。
【０００３】
一方、撮影対象物の所有者等が著作権等の問題から撮影されることを望まない場合がある。例えば、美術館等では展示品が撮影禁止である注意や警告がなされ、入場時に携帯電話等の撮影装置を一時的に預かる等の措置がとられる。撮影対象は幅広く、全ての撮影者があらゆる撮影対象物に対して撮影の可否を判断することは極めて困難であり、撮影禁止であるか注意を払わずに撮影する可能性もある。
【０００４】
近年、無線を使い非接触で物の種別等を識別できる無線タグは、ＲＦＩＤタグ、ＩＣタグ、ＩＤタグ、ゴマ粒ＩＣチップ等とも呼ばれて普及し、小型化及び薄型化が進み記憶容量が増加されてバーコードに代わろうとしている。無線タグを書籍やＣＤ等の商品に付加し、流通する在庫量の把握、商品の盗難防止等の商品管理に利用できる。例えば、会計前の商品の無線タグに未購入の情報をもたせ、会計をすませた商品の無線タグをレジで購入済みの情報に書き替える。出口ゲートは自動的に無線タグリーダーで通過する商品に付加された無線タグの情報を読み、購入済みの情報を得れば通過を許可し、購入済みの情報に書き替えられていないとブザーを鳴らす。
【０００５】
特許文献１には、ユーザーに無線タグを携帯させ、撮影した画像と無線タグのＩＤとを関連づけて記録させる自動撮影システム及び自動撮影方法ならびに自動撮影サービスが提案されている。特許文献１では、撮影対象物が撮影禁止か否かを判断しない。
【特許文献１】特開２００３−１１６１２７号公報
【発明の開示】
【発明が解決しようとする課題】
【０００６】
本発明は、撮影対象物が撮影禁止か否かを判定する撮影可否判定装置及び該撮影可否判定装置を用いた撮影装置を提供することを目的とする。
【課題を解決するための手段】
【０００７】
この発明の第１の撮影可否判定装置は、対無線タグ送受信手段と判定手段とを備える。
対無線タグ送受信手段は、電波を送受信して撮影対象物に付加された無線タグまたは撮影対象物の近傍に設置された無線タグから撮影の可否を含む無線タグ情報を読み出す。判定手段は、読み出した無線タグ情報に撮影禁止を示す情報が含まれる場合には撮影禁止と判定し、読み出した無線タグ情報に撮影禁止を示す情報が含まれてる場合以外には撮影可能と判定する。
【０００８】
この発明の第２の撮影可否判定装置は、対無線タグ送受信手段と撮影禁止項目記憶部と判定手段とを備える。対無線タグ送受信手段は、電波を送受信して撮影対象物に付加された無線タグまたは撮影対象物の近傍に設置された無線タグから複数の項目と該項目に対する値とを含む無線タグ情報を読み出す。撮影禁止項目記憶部は、撮影禁止と判定する項目と値との対をあらかじめ記憶する。判定手段は、読み出した無線タグ情報に含まれる項目と該項目の値とが撮影禁止項目記憶部に記憶されている場合には撮影禁止と判定し、読み出した無線タグ情報に含まれる項目と該項目の値とが撮影禁止項目記憶部に記憶されている場合以外には撮影可能と判定する。
【０００９】
この発明の第３の撮影可否判定装置は、第１または第２の撮影可否判定装置に、対無線タグ送受信手段から送信する電波の出力範囲を設定する範囲設定手段を備える。
【００１０】
この発明の第１の撮影装置は、第１から第３のいずれかに記載の撮影可否判定装置を備え、判定手段で撮影禁止と判定されると撮影防止処理を行う。この発明の第２の撮影装置は、第３の撮影可否判定装置とズーム機構とを備え、範囲設定手段は、ズーム機構が画角を広げるほど電波の出力強度を弱め、ズーム機構が画角を狭めるほど電波の出力強度を強め、判定手段で撮影禁止と判定されると撮影防止処理を行う。この発明の第３の撮影装置は、第３の撮影可否判定装置とズーム機構とを備え、範囲設定手段は、ズーム機構が画角を広げるほど電波の出力角度を広げ、ズーム機構が画角を狭めるほど電波の出力角度を狭め、判定手段で撮影禁止と判定されると撮影防止処理を行う。この発明の第４の撮影装置は、第３の撮影可否判定装置と距離測定部とを備え、距離測定部は撮影対象物までの距離を測定し、範囲設定手段は、撮影対象物までの距離が長いほど電波の出力強度を強め、撮影対象物までの距離が短いほど電波の出力強度を弱め、判定手段で撮影禁止と判定されると撮影防止処理を行う。
【発明の効果】
【００１１】
この発明の撮影可否判定装置によれば、無線タグ情報を受信して撮影対象物が撮影禁止か否かを判定できる。また、電波の送信範囲を設定できる撮影可否判定装置により、撮影対象範囲とにある無線タグがもつ無線タグ情報を確実に取得できる。また、この発明の撮影装置によれば、撮影対象物が撮影禁止と判定されると撮影禁止処理を行うことにより通常の撮影を不能にできる。また、ズーム機構と連動して電波の出力強度や出力角度を設定できるようにすることで、撮影対象範囲とにある無線タグがもつ無線タグ情報を確実に取得して撮影対象物が撮影禁止と判定されると撮影禁止処理を行うことにより通常の撮影を不能にできる。
【発明を実施するための最良の形態】
【００１２】
第１の実施形態の撮影装置１は、静止画像や動画像等の画像を取り込んで記憶、表示、外部出力等を行い、図１の構成図に示すように撮影可否判定装置１０と撮像部１１と操作表示部１２と画像メモリ１３と画像処理部１４と撮影防止処理部１５とＣＰＵ１６とＲＯＭ１７とＲＡＭ１８とシステムバス１９とを備える。撮影装置にはデジタルカメラ、カメラ付携帯電話、デジタルビデオカメラ、アナログカメラ、デジタルビデオカメラ等を含む。
【００１３】
撮影可否判定装置１０は、対無線タグ送受信部２０と無線タグ情報解析部２１と撮影禁止項目記憶部２２と判定部２３とを備える。
【００１４】
対無線タグ送受信部２０は、変復調制御回路３０と変調回路３１と送信アンテナ３２と受信アンテナ３３と復調回路３４とを有する。変復調制御回路３０は、無線タグ５から無線タグ情報を読み出すためのデータを変調回路３１に出力し、変調回路３１はデータを変調して送信アンテナ３２から電波信号として送信させる。無線タグ５からの電波は受信アンテナ３３で受信されて復調回路３４で復調され、変復調制御回路３０により無線タグ情報が読み出される。
【００１５】
無線タグ情報は、例えば図２の例に示すように１２８ｂｉｔの無線タグ情報の各ｂｉｔに１または０の値をもつ各情報が割り付けられている。例えば１００ｂｉｔ目は撮影可否設定フラグの項目で、値１は撮影禁止を意味し、値０は撮影可能を意味する。９０ｂｉｔ目は購入済フラグの項目で、値１は購入済を意味し、値０は未購入を意味する。７９ｂｉｔ目から７０ｂｉｔ目までは種別情報の項目で、値０は書籍を示し、値１は絵画を示し、値２は食肉を示し、値３は鮮魚を示す。１０進数の値は２進数に変換して記憶される。各ｂｉｔのもつ意味は標準化された仕様等に依存する。
【００１６】
無線タグ情報解析部２１は、対無線タグ送受信部２０で受信した無線タグ情報を解析し、無線タグ情報に含まれる各項目と値とを抽出する。撮影禁止項目記憶部２２は、撮影を禁止する項目と値とをあらかじめ記憶している。判定部２３は、無線タグ情報解析部２１で抽出した項目の値が撮影禁止項目記憶部２５に記憶されている場合には、撮影禁止判定を出力し、無線タグ情報解析部２１で抽出した項目の値が撮影禁止項目記憶部２５に記憶されていない場合には、撮影可能判定を出力する。
【００１７】
撮像部１１は、撮像素子４０とワークメモリ４１と画像表示素子４２とを有する。撮像素子４０は、レンズ・ＣＣＤやＣＭＯＳ等により画像データをワークメモリ４１に取り込み、画像表示素子４２はワークメモリ４１に取り込んだ画像データを画面に表示する。操作表示部１２は、撮影モードボタンとシャッターボタンとを有し、撮影モードボタンが押されると撮像素子４０による画像の取り込みを開始させて画像表示素子４２に表示させる。シャッターボタンが押されると撮像素子４０により取り込まれた画像データを画像メモリ１３に蓄積させる。画像処理部１４は、撮影した画像にモザイク処理、全白・全黒処理、撮影禁止マークの重ね書き等の種々の画像処理を施す。
【００１８】
撮影防止処理部１５は、撮影可否判定装置１０で撮影禁止と判定された場合、撮像部１１に撮像素子４０からワークメモリ４１への画像の取り込みを中止させるとともに操作表示部１２に「撮影しようとしている物は撮影禁止の物です。」等を表示させる撮影防止処理を行う。撮影可否判定装置１０で撮影可能と判定された場合、撮像部１１に撮像素子４０からのワークメモリ４１への画像の取り込みを行わせて操作表示部１２に撮影可能となったことを表示させる。
【００１９】
ＣＰＵ１６は、撮影装置１全体の動作を制御する。ＲＯＭ１７は、ＣＰＵ１６に読み出されて撮影装置１を動作させる制御プログラム等を記憶している。ＲＡＭ１８は、ＣＰＵ１６のワークメモリとして適宜使用される。システムバス１９は、撮影可否判定装置１０と撮像部１１と操作表示部１２と画像メモリ１３と画像処理部１４と撮影防止処理部１５とＣＰＵ１６とＲＯＭ１７とＲＡＭ１８との間で信号を伝達する。
【００２０】
無線タグ５は、図３の構成図に示すように、コイル５０とコンデンサ５１と整流平滑化回路５２とＥＥＰＲＯＭ５３と変復調回路５４とを有する。コイル５０は受信した電波信号の磁界により電流を発生させ、コンデンサ５１は発生した電流を平滑化させ、整流平滑化回路５２は平滑化した電流を整流して電源Ｖｄｄを供給する。ＥＥＰＲＯＭ５３は、無線タグ情報を記憶し、電源が供給されない状態でもデータを保持する。変復調回路５４は、対無線タグ送受信部２０から送信された電波信号を復調し、復調されたデータに含まれる無線タグ情報の読み出しの要求に応じてＥＥＰＲＯＭ５３から無線タグ情報を読み出し、無線タグ情報を含む信号を作成及び変調して電波を送信する。無線タグ５は、書籍等の商品や絵画等の展示物等の撮影対象物に付加されたり、撮影対象物に近接して配置される。
【００２１】
撮影可否判定装置１０の処理を図４のフロー図に示す。対無線タグ送受信部２０は、操作表示部１２から撮影モードボタンが押されると（ステップＳ１０）、無線タグ情報の読み出しを要求する電波信号を送信する（ステップＳ１１）。対無線タグ送受信部２０は無線タグからの応答を受けると受信した無線タグ情報を無線タグ情報解析部２１に送る（ステップＳ１２）。無線タグ情報解析部２１は、無線タグ情報のデータ列を解析して撮影可否設定フラグ、購入済フラグ、種別情報等の各項目及び各項目の値を取得する（ステップＳ１３）。判定部２３は、取得した項目の値が撮影禁止項目記憶部２２に含まれているか調べ、取得した項目の値が撮影禁止項目記憶部２２に含まれている場合には撮影禁止と判定し（ステップＳ１４）、撮影禁止の判定情報を出力する（ステップＳ１５）。例えば、撮影禁止項目記憶部２２に購入済フラグの項目が未購入を値として記憶されており、無線タグ情報から取得した購入済フラグの項目の値が未購入になっている場合には撮影禁止と判定する。判定部２３は、取得した項目の値が撮影禁止項目記憶部２２に含まれていない場合には撮影可能と判定し（ステップＳ１４）、撮影可能と判定された場合、または、対無線タグ送受信部２０が無線タグからの応答を受けなかった場合には撮影可能の判定情報を出力する（ステップＳ１６）。
【００２２】
なお、撮影可否判定装置１０の判定部２３は、読み出された無線タグ情報に撮影禁止を示す情報が含まれているか判定し、含まれている場合には撮影禁止と判定し、含まれている場合以外には撮影可能と判定してもよい。
【００２３】
撮影防止処理は図５のフロー図に従って行われる。撮影防止処理部１６は、判定部２３から撮影禁止の判定情報が出力されると（ステップＳ２０）、撮像部１１に撮像素子４０からワークメモリ４１への画像の取り込みを中止させ（ステップＳ２１）、操作表示部１２に「撮影しようとしている物は撮影禁止の物です。」等を表示させる（ステップＳ２２）。撮影防止処理部１６は、判定部２３から撮影可能の判定情報が出力されると（ステップＳ２０）、撮像部１１に撮像素子４０からのワークメモリ４１への画像の取り込み中止を解除し（ステップＳ２３）、操作表示部１２に撮影可能となったことを表示させる（ステップＳ２４）。
【００２４】
なお、撮影防止処理は、撮影可否判定装置１０で撮影禁止の判定情報が出力されている間には操作表示部１２のシャッターボタンを押すことを不能にする処理や、シャッターボタンが押されても画像データを画像メモリ１３に蓄積しない処理であってもよい。また、撮影防止処理は、撮影可否判定装置１０で撮影禁止の判定情報が出力されている間には撮像部１１の撮像素子４０から出力される画像データに対して画像処理部１４でモザイク処理等の画像処理を行う処理でもよい。アナログカメラであれば、撮影可否判定装置１０で撮影禁止の判定情報が出力されている間には、撮影防止処理は撮像部１１に設けたレンズ・シャッター（開閉幕ともいう）を開かない処理であってもよい。また、撮影防止処理は、撮影可否判定装置１０で撮影禁止の判定情報が出力された場合、操作表示部１２から「撮影しようとしている物は撮影禁止の物です。」等の音声を出力する処理としてもよい。
【００２５】
無線タグ５が有する無線タグ情報に含まれる項目と値とを、撮影装置１が記憶した撮影禁止項目と比較することにより、撮影対象物が撮影禁止であるか撮影可能であるか自動的に判定し、撮影禁止の判定に応じて撮像素子４０からの画像の取り込みを中止する等により自動的に撮影を禁止できる。
【００２６】
第２の実施形態の撮影装置６が備える撮影可否検出部６０は、図６の詳細な構成図に示すように第１の実施形態の撮影装置１が備える撮影可否判定装置１０に距離測定部６１と範囲設定部６２とを有する。距離測定部６１は撮影対象物までの距離を測定する機能をもち、オートフォーカス機能で距離を計測してもよい。範囲設定部６２は、距離測定部６１で測定された距離が長いほど変調回路３１が送信アンテナ３２から送信する電波信号の出力強度を大きく設定することにより、電波信号の出力範囲を設定する。あらかじめ撮影対象物までの距離と送信する電波信号の出力強度との関係を記憶しておいてもよい。距離を測定することで、正確に電波信号の出力強度を設定できる。
【００２７】
撮影可否検出部６０の処理を図７のフロー図に示す。距離測定部６１は、操作表示部１２から撮影モードボタンが押されると（ステップＳ３０）、撮影対象物までの距離を測定し（ステップＳ３１）、範囲設定部６２は測定された距離に応じて変調回路３１が送信アンテナ３２から送信する電波信号の出力強度を設定する（ステップＳ３２）。対無線タグ送受信部２０は、無線タグ情報の読み出しを要求する電波信号を設定された出力強度で送信する（ステップＳ３３）。対無線タグ送受信部２０は無線タグからの応答を受けると受信した無線タグ情報を無線タグ情報解析部２１に送る（ステップＳ３４）。無線タグ情報解析部２１は、無線タグ情報のデータ列を解析して撮影可否設定フラグ、購入済フラグ、種別情報等の各項目及び各項目の値を取得する（ステップＳ３５）。判定部２３は、取得した項目の値が撮影禁止項目記憶部２２に含まれているか調べ、取得した項目の値が撮影禁止項目記憶部２２に含まれている場合には撮影禁止と判定し（ステップＳ３６）、撮影禁止の判定情報を出力する（ステップＳ３７）。判定部２３は、取得した項目の値が撮影禁止項目記憶部２２に含まれていない場合には撮影可能と判定し（ステップＳ３６）、撮影可能と判定された場合、または、対無線タグ送受信部２０が無線タグからの応答を受けなかった場合には撮影可能の判定情報を出力する（ステップＳ３８）。
【００２８】
撮影防止処理部１６が行う撮影防止処理は第１の実施形態と同様である。撮影装置６は、距離測定部６１で測定した撮影対象物までの距離に応じて範囲設定部６２により電波信号の出力強度を設定することにより、撮影可能範囲にある無線タグ５が有する無線タグ情報を正確に読み取ることができる。
【００２９】
第３の実施形態の撮影装置７が備える撮影可否検出部７０は、図８の詳細な構成図に示すように第１の実施形態の撮影装置１が備える撮影可否判定装置１０に範囲設定部７１を有する。撮像部１１はズーム機構４３を有し、操作表示部１２はズームボタンを有する。ズームボタンが望遠側に近く設定されるほど撮像部１１はズーム機構４３により画角を狭くして画像を取り込み、ズームボタンが広角側に近く設定されるほど撮像部１１はズーム機構４３により画角を広くして画像を取り込む。
【００３０】
範囲設定部７１は変調回路３１が送信アンテナ３２から送信する電波信号の出力範囲を設定する。ズームボタンが望遠側に近く設定されているほど撮影対象物までの距離が遠いため、変調回路３１が送信アンテナ３２から送信する電波信号の出力強度を大きく設定し、ズームボタンが広角側に近く設定されているほど撮影対象物までの距離が近いため、変調回路３１が送信アンテナ３２から送信する電波信号の出力強度を小さく設定する。さらに、範囲設定部７１は、例えば送信アンテナ３２を金属で覆って電波を遮り、レンズと同じ方向に大きさを調整できる電波的な開口を設けて送信角度を設定することにより、送信アンテナ３２に指向性をもたせ、ズームボタンが望遠側に近く設定されているほど開口を小さくし、ズームボタンが広角側に近く設定されているほど開口を大きく設定する。
【００３１】
撮影可否検出部７０の処理を図９のフロー図に示す。範囲設定部７１は、操作表示部１２から撮影モードボタンが押されると（ステップＳ４０）、ズームボタンが望遠側に近く設定されているほど変調回路３１が送信アンテナ３２から送信する電波信号の出力強度を大きく設定するとともに開口を小さくし、ズームボタンが広角側に近く設定されているほど変調回路３１が送信アンテナ３２から送信する電波信号の出力強度を小さく設定するとともに開口を大きく設定する（ステップＳ４１）。対無線タグ送受信部２０は、無線タグ情報の読み出しを要求する電波信号を設定された出力強度で送信する（ステップＳ４２）。対無線タグ送受信部２０は無線タグからの応答を受けると受信した無線タグ情報を無線タグ情報解析部２１に送る（ステップＳ４３）。無線タグ情報解析部２１は、無線タグ情報のデータ列を解析して撮影可否設定フラグ、購入済フラグ、種別情報等の各項目及び各項目の値を取得する（ステップＳ４４）。判定部２３は、取得した項目の値が撮影禁止項目記憶部２２に含まれているか調べ、取得した項目の値が撮影禁止項目記憶部２２に含まれている場合には撮影禁止と判定し（ステップＳ４５）、撮影禁止の判定情報を出力する（ステップＳ４６）。判定部２３は、取得した項目の値が撮影禁止項目記憶部２２に含まれていない場合には撮影可能と判定し（ステップＳ４５）、撮影可能と判定された場合、または、対無線タグ送受信部２０が無線タグからの応答を受けなかった場合には撮影可能の判定情報を出力する（ステップＳ４７）。
【００３２】
撮影防止処理部１６が行う撮影防止処理は第１の実施形態と同様である。撮影装置７は、ズーム機構４３の設定に連動して範囲設定部７１で電波信号の指向性及び出力強度を設定することにより、撮影可能範囲にある無線タグ５が有する無線タグ情報を正確に読み出すことができる。
【図面の簡単な説明】
【００３３】
【図１】撮影装置の構成図である。
【図２】無線タグ情報の内容例を示す図である。
【図３】無線タグの構成図である。
【図４】撮影可否判定装置の動作を表すフロー図である。
【図５】撮影防止処理部の動作を表すフロー図である。
【図６】第２の実施形態に係る撮影装置の構成図である。
【図７】第２の実施形態に係る撮影可否判定装置の動作を表すフロー図である。
【図８】第３の実施形態に係る撮影装置の構成図である。
【図９】第３の実施形態に係る撮影可否判定装置の動作を表すフロー図である。
【符号の説明】
【００３４】
１；撮影装置、５；無線タグ、６；撮影装置、７；撮影装置、
１０；撮影可否判定装置、１１；撮像部、１２；操作表示部、１３；画像メモリ、
１４；画像処理部、１５；撮影防止処理部、１６；ＣＰＵ、１７；ＲＯＭ、
１８；ＲＡＭ、１９；システムバス、２０；対無線タグ送受信部、
２１；無線タグ情報解析部、２２；撮影禁止項目記憶部、２３；判定部、
３０；変復調制御回路、３１；変調回路、３２；送信アンテナ、３３；受信アンテナ、
３４；復調回路、４０；撮像素子、４１；ワークメモリ、４２；画像表示素子、
４３；ズーム機構、５０；コイル、５１；コンデンサ、５２；整流平滑化回路、
５３；ＥＥＰＲＯＭ、５４；変復調回路、６０；撮影可否判定装置、６１；距離測定部、６２；範囲設定部、７０；撮影可否判定装置、７１；範囲設定部
【図１】
2005303557.tif 000003
【図２】
2005303557.tif 000004
【図３】
2005303557.tif 000005
【図４】
2005303557.tif 000006
【図５】
2005303557.tif 000007
【図６】
2005303557.tif 000008
【図７】
2005303557.tif 000009
【図８】
2005303557.tif 000010
【図９】
2005303557.tif 000011